(57)【要約】【課題】ビードワイヤーの捩じれの影響がなく、下層のビードワイヤー上にビードワイヤーを安定した状態で積層させることが出来ると共に、ビードワイヤーの整列も容易に行うことが出来、安価に製造することが出来るビードコアの構造及びその製造方法を提供することを目的とする。【解決手段】ゴム被覆されたビードワイヤーＷのリング状に巻付ける巻付け工程直前には、被覆ゴムＧの上面に嵌合支持面１を形成するための回転自在な癖付けガイドローラ２と、被覆ゴムＧの下面を支持するための回転自在なガイドローラ３とが配設され、この癖付けガイドローラ２とガイドローラ３とは、軸方向（Ｘ方向）に往復移動できるように構成されている。前記癖付けガイドローラ２は、図２に示すように、ビードワイヤーＷの挟持面に山形状の凹凸部４が形成してあり、この癖付けガイドローラ２の挟持面とガイドローラ３の支持面３ａとで挟み込むことで被覆ゴムＧの上面にＶ字状の凹溝５を連続的に形成するものである。【選択図】  図２
2004256053.tif 000002
【特許請求の範囲】
【請求項１】
ゴム被覆されたビードワイヤーを所定幅でリング状に巻付けながら積層させて一体的に成形するビードコアの構造において、
前記ビードワイヤーに被覆された被覆ゴムの上面に、積層させるビードワイヤーの被覆ゴムが嵌合する嵌合支持面を形成したことを特徴とするビードコアの構造。
【請求項２】
前記嵌合支持面が、水平面、または積層させるビードワイヤーの被覆ゴムが係合する凹溝である請求項１に記載のビードコアの構造。
【請求項３】
ゴム被覆された長尺のビードワイヤーを所定幅でリング状に巻付けながら積層させて一体的に成形するビードコアの製造方法において、
前記ビードワイヤーをリング状に巻付ける直前に、ビードワイヤーに被覆された被覆ゴムの上面に嵌合支持面を連続的に形成しながら積層させて巻付けることを特徴とするビードコアの製造方法。
【請求項４】
前記ビードワイヤーを巻付ける際、積層させるビードワイヤーのゴム下面側が、下層ビードワイヤーのゴム上面の嵌合支持面に密着支持させるように巻付ける請求項３に記載のビードコアの製造方法。
【請求項５】
前記嵌合支持面は、巻付け直前に設置した癖付けガイドローラにより形成する請求項３または４に記載のビードコアの製造方法。
【発明の詳細な説明】
【０００１】
【発明の属する技術分野】
この発明は、ビードコアの構造及びその製造方法にかかわり、更に詳しくは積層させるビードワイヤーが安定した状態で積層させると共に整列させ、品質の安定したビードコアを安価に製造出来るビードコアの構造及びその製造方法に関するものである。
【０００２】
【従来の技術】
従来、空気入りタイヤのビード部に埋設されるビードコアは、ゴム被覆されたビードワイヤーを所定幅でリング状に巻付けながら積層させて一定の断面形状に形成されている。
【０００３】
上記のようなゴム被覆されたビードワイヤーは、リング状に巻付けて積層させる際に、下層のビードワイヤー上に積層し易く、しかもビードワイヤーの整列が容易となるように、予め偏平形状のビードワイヤーを使用して、このビードワイヤーにゴム被覆したり、また円形のビードワイヤーに押出機から四角状のゴムを押し出して被覆する等、種々の方法が行われている（例えば、特許文献１、及び特許文献２参照）。
【０００４】
【特許文献１】
特開平６−７９８０７号公報（第２〜３頁、図１）
【特許文献２】
特開平６−７９８０６号公報（（第２〜３頁、図１）
【０００５】
【発明が解決しようとする課題】
然しながら、偏平形状のビードワイヤーを使用する場合には、ビードワイヤーの巻付け時等にビードワイヤーの捩じれに対して修正することが難しく、ビードワイヤーがずれて下段側に落ち易いと言う問題があった。
【０００６】
また、ビードワイヤーに四角形状のゴムを被覆する方法では、上記と同様にビードワイヤーの巻付け時等にビードワイヤーの捩じれに対して修正することが難しく、また被覆ゴムが余分に付く上、押出機のダイス形状が複雑になり、高価となる問題があった。
【０００７】
この発明はかかる従来の問題点に着目し、ビードワイヤーの捩じれの影響がなく、下層のビードワイヤー上にビードワイヤーを安定した状態で積層させることが出来ると共に、ビードワイヤーの整列も容易に行うことが出来、安価に製造することが出来るビードコアの構造及びその製造方法を提供することを目的とするものである。
【０００８】
【課題を解決するための手段】
この発明は上記目的を達成するため、この発明のビードコアの構造は、ビードワイヤーに被覆された被覆ゴムの上面に、積層させるビードワイヤーの被覆ゴムが嵌合する嵌合支持面を形成したことを要旨とするものである。
【０００９】
ここで、前記嵌合支持面が、水平面、または積層させるビードワイヤーの被覆ゴムが係合する凹溝である。
【００１０】
このように、ビードワイヤーに被覆された被覆ゴムの上面に、積層させるビードワイヤーの被覆ゴムが嵌合する嵌合支持面を形成したことにより、ビードワイヤーの捩じれの影響がなく、下層のビードワイヤー上にビードワイヤーを安定した状態で積層させることが出来ると共に、ビードワイヤーの整列も容易に行うことが出来るものである。
【００１１】
また、この発明のビードコアの製造方法は、ビードワイヤーをリング状に巻付ける直前に、ビードワイヤーに被覆された被覆ゴムの上面に嵌合支持面を連続的に形成しながら積層させて巻付けることを要旨とするものである。
【００１２】
前記ビードワイヤーを巻付ける際、積層させるビードワイヤーのゴム下面側が、下層ビードワイヤーのゴム上面の嵌合支持面に密着支持させるように巻付け、また、前記嵌合支持面は、巻付け直前に設置した癖付けガイドローラにより形成するものである。
【００１３】
このように、ゴム被覆したビードワイヤーを巻付ける際、下層ビードワイヤーのゴム上面の嵌合支持面に密着支持させるように巻付けるので、下層のビードワイヤー上にビードワイヤーを安定した状態で積層させることが出来ると共に、ビードワイヤーの整列も容易に行うことが出来、またゴム上面の嵌合支持面は、ビードワイヤーをリング状に巻付ける直前に、癖付けガイドローラにより形成するので、変形も起きず、また安価に製造することが出来る。
【００１４】
【発明の実施の形態】
以下、添付図面に基づき、この発明の実施形態を説明する。
【００１５】
図１は、ビードワイヤーに被覆された被覆ゴムの上面に嵌合支持面を形成する工程を示す説明図、図２は図１のＡ−Ａ矢視拡大断面図を示し、Ｗは連続的に供給される断面円形状に形成された金属製のビードワイヤー、ＧはビードワイヤーＷの外周面に被覆された被覆ゴムを示している。
【００１６】
前記ゴム被覆されたビードワイヤーＷのリング状に巻付ける巻付け工程直前には、被覆ゴムＧの上面に嵌合支持面１を形成するための回転自在な癖付けガイドローラ２と、被覆ゴムＧの下面を支持するための回転自在なガイドローラ３とが配設され、この癖付けガイドローラ２とガイドローラ３とは、軸方向（Ｘ方向）に往復移動できるように構成されている。
【００１７】
前記癖付けガイドローラ２は、図２に示すように、ビードワイヤーＷの挟持面に山形状の凹凸部４が形成してあり、この癖付けガイドローラ２の挟持面とガイドローラ３の支持面３ａとで挟み込むことで被覆ゴムＧの上面にＶ字状の凹溝５を連続的に形成するものである。
【００１８】
この癖付けガイドローラ２とガイドローラ３とは、ビードワイヤーＷの被覆ゴムＧの上面に嵌合支持面１を形成しながら軸方向に往復移動し、図３に示すように嵌合支持面１を形成したビードワイヤーＷを並列に整列させながら図示しない成形リング部材や成形ドラム上に巻付け、更に下層のビードワイヤーＷの嵌合支持面１上に積層させて巻付けることで、所定幅でリング状のビードコアを形成するものである。
【００１９】
なお、嵌合支持面１としては、上記のようなＶ字状の凹溝５に限定されず、図４に示すような平面状の嵌合支持面１ａものであっても良く、この場合には、癖付けガイドローラ２の挟持面も、その形態にあった凹部を備えたものを使用することが必要となる。
【００２０】
更に、嵌合支持面１は、ビードワイヤーＷを並列に整列させながら積層させた場合に、ずれたり、下段側に落下しない形態であれば上記のような形態に限定されるものではない。
【００２１】
このように、ビードワイヤーＷに被覆された被覆ゴムＧの上面に、積層させるビードワイヤーＷの被覆ゴムＧが嵌合する嵌合支持面１または１ａを形成したことにより、ビードワイヤーＷの捩じれの影響がなく、下層のビードワイヤーＷ上にビードワイヤーＷを安定した状態で積層させることが出来ると共に、ビードワイヤーの整列も容易に行うことが出来るものである。
【００２２】
また被覆ゴム上面の嵌合支持面１または１ａは、ビードワイヤーＷをリング状に巻付ける直前に、癖付けガイドローラ２により形成するので、変形も起きず、また安価に製造することが出来る。
【００２３】
【発明の効果】
この発明は、上記のようにビードワイヤーに被覆された被覆ゴムの上面に、積層させるビードワイヤーの被覆ゴムが嵌合する嵌合支持面を形成したので、ビードワイヤーの捩じれの影響がなく、下層のビードワイヤー上にビードワイヤーを安定した状態で積層させることが出来ると共に、ビードワイヤーの整列も容易に行うことが出来る効果がある。
【００２４】
また、この発明のビードコアの製造方法は、ビードワイヤーをリング状に巻付ける直前に、ビードワイヤーに被覆された被覆ゴムの上面に嵌合支持面を連続的に形成しながら積層させて巻付けるので、下層のビードワイヤー上にビードワイヤーを安定した状態で積層させることが出来ると共に、ビードワイヤーの整列も容易に行うことが出来、またゴム上面の嵌合支持面は、ビードワイヤーをリング状に巻付ける直前に、癖付けガイドローラにより形成するので、変形も起きず、また安価に製造することが出来る効果がある。
【図面の簡単な説明】
【図１】ビードワイヤーに被覆された被覆ゴムの上面に嵌合支持面を形成する工程を示す説明図である。
【図２】図１のＡ−Ａ矢視拡大断面図である。
【図３】被覆ゴムの上面に形成された嵌合支持面にビードワイヤーを積層させた一部断面図である。
【図４】被覆ゴムの嵌合支持面の他の実施形態を示す一部断面図である。
【符号の説明】
Ｗ  ビードワイヤー          Ｇ  被覆ゴム
１  嵌合支持面              ２  癖付けガイドローラ
３  ガイドローラ          ３ａ  支持面
４  凹凸部                  ５  凹溝
１ａ  嵌合支持面
【図１】
2004256053.tif 000003
【図２】
2004256053.tif 000004
【図３】
2004256053.tif 000005
【図４】
2004256053.tif 000006